(57)【要約】【課題】子局から親局への上り光ファイバを介して光信号を送信する際に、子局側の電気信号の回路（ＲＦ回路）の異常を検出することを可能とする。【解決手段】子局２は、キャリア信号（ＲＦ信号）とパイロット信号発生器２６で発生したキャリア信号の周波数に近い周波数のパイロット信号を合成器２７で合成し、この合成した信号を半導体レーザ（ＬＤ）２９で光信号を発光して光ファイバ４を介して親局１に伝送する。親局１は、子局からの光信号をフォトダイオード（ＰＤ）１４で受光し、パイロット信号をフィルタ１９分離し、このパイロット信号のレベルを検出回路２０し、制御部がパイロット信号のレベルに基づいてＲＦ回路の異常を検出する。【選択図】図１
2005094630.tif 000002
【特許請求の範囲】
【請求項１】
親局と子局とを光ファイバで接続したアナログ光伝送システムであって、
前記子局が、電気信号を処理する電気信号の回路と、パイロット信号を発生するパイロット信号発生手段と、前記基地局へ送信する電気信号と前記パイロット信号とを合成する合成手段と、前記合成した信号を光信号にして前記光ファイバを介して親局へ送信する発光手段とを有し、
前記親局が、前記子局からの光信号を前記光ファイバを介して受信する受光手段と、前記受光手段で受信した信号からパイロット信号を分離するフィルタ手段と、前記フィルタ手段で分離されたパイロット信号のレベルを検出するパイロット信号レベル検出手段と、前記パイロット信号レベル検出手段により検出されるレベルに基づいて前記電気信号の回路の異常を検出する制御部とを有することを特徴とするアナログ光伝送システム。
【発明の詳細な説明】
【技術分野】
【０００１】
本発明は、親局から子局へ下り光ファイバを介してアナログ光信号を送信する一方、子局から親局へ上り光ファイバを介してアナログ光信号を送信するアナログ光伝送システムに関し、特に子局側の電気信号の回路の異常を検出することを可能ならしめる技術に関する。
【背景技術】
【０００２】
例えば副搬送波アナログ伝送を用いた通信方式は、伝送路として用いることが可能な光ファイバが広帯域で低損失であることや、アナログ光伝送方式により無線周波数信号（ＲＦ信号）を直接変調して伝送することが可能であること等といった利点から、携帯電話システムやＣＡＴＶシステムに備えられる中継増幅装置等の通信方式として用いられている。
【０００３】
このような方式を用いるアナログ光伝送システムでは、図２に示すように、親局３１と子局３２があり、複数の子局を携帯電話等のサービスの不感地帯（ビル内等の屋内又はトンネル等の屋外）へ配置し、その親局３１と子局３２とを上り及び下りの光ファイバ３４、３５で接続し、基地局３０からの無線周波数信号（ＲＦ信号）を親局にて光信号に変換し、その光信号を下り光ファイバ３５で送信し、子局３２は受信した光信号をＲＦ信号に変換して、このＲＦ信号を出力することにより、子局３２のサービスエリアに存在する携帯電話機３３へ基地局３０からのＲＦ信号を出力が可能となり、また、子局３２は、サービスエリア内に存在する携帯電話機３３からのＲＦ信号を光信号に変換して、この光信号を上り光ファイバ３４で親局３１に送信し、親局３１は、受信した光信号をＲＦ信号に変換して基地局３０へ出力することで、不感地帯への携帯電話等のサービスを可能とするアナログ光伝送システムがある。
【０００４】
また、このようなアナログ光伝送システムの親局及び子局は、ＲＦ信号を処理する電気信号の回路（ＲＦ回路）と光信号を処理する光信号の回路（光回路）で構成され、これら回路の動作状態を確認する際には、親局から子局（基地局から携帯電話機への下り回線）への光信号は常時出力されているため、子局にそのキャリア信号を検波する検波回路を設けることで、ＲＦ回路の監視を確認することができ、また、子局に光レベルをモニタする検波回路を設けることで、受光レベル及び光伝送部分が確認でき、ＲＦ回路及び光信号の異常を容易に監視することができる。は親局で子局からの光信号の受光レベルを検出することにより、光ファイバの異常を検出することが可能である。
【０００５】
また、このようなアナログ光伝送システムでは、親局で子局から送信された光信号を光ファイバを介して受信し、この受信した光信号の受光レベルを検出して、検出した受光レベルの変動に基づいて光ファイバの異常を検出するアナログ光伝送システムがある。
【特許文献１】特開２０００−９１９９３号公報
【特許文献２】特開２０００−１５１５１１号公報
【発明の開示】
【発明が解決しようとする課題】
【０００６】
しかしながら、上述したアナログ光伝送システムでは、子局から親局（携帯電話機から基地局への上り回線）への光信号は、携帯電話機との距離などにより常時一定のレベルが伝送されているわけではないため、親局にキャリア信号の検波回路を設けても装置の利得などの特性が正常かどうかの判断をすることが困難であった。
【０００７】
このような実情から、従来では上り回線ではＲＦ回路の監視は行われずに光回路のみの監視をする方法が行われていた。そのため、ＲＦ回路と光回路とを切り分けて監視をすることが望まれている。
【０００８】
本発明は、このような従来の課題を解決するためになされたもので、子局から親局へ上り光ファイバを介してアナログ光信号を送信する際に、子局側の電気信号の回路（ＲＦ回路）の異常を検出することを可能とするアナログ光伝送システムを提供することを目的とする。
【課題を解決するための手段】
【０００９】
親局と子局とを光ファイバで接続したアナログ光伝送システムであって、子局が、キャリア信号（ＲＦ信号）を処理する電気信号の回路と、パイロット信号を発生するパイロット信号発生手段と、基地局へ送信する電気信号とパイロット信号とを合成する合成手段と、合成した信号を光信号にして光ファイバを介して親局へ送信する発光手段とを有し、親局が、子局からの光信号を光ファイバを介して受信する受光手段と、受光手段で受信した信号からパイロット信号を分離するフィルタ手段と、フィルタ手段で分離されたパイロット信号のレベルを検出するパイロット信号検出手段と、パイロット信号検出手段により検出されるレベルに基づいて電気信号の回路の異常を検出する制御部とを有することを特徴とする。
【発明の効果】
【００１０】
本発明のアナログ光伝送システムは、子局でＲＦ信号にパイロット信号を合成することにより、親局で光信号の受光レベルの判定及びパイロット信号のレベルの判定をすることで、光回路と電気回路とを切り分けて判定することが可能となり、更に上り回線全体を監視することができる。
【発明を実施するための最良の形態】
【００１１】
子局側でパイロット信号を注入したＲＦ信号を、光信号に変換して光ファイバにより親局に送信し、親局では、ＲＦ信号に注入されたパイロット信号を検出することで、子局のＲＦ信号を処理する電気信号の回路を監視することを実現した。
【実施例１】
【００１２】
本発明の実施例に係るアナログ光伝送システムを図１を参照して説明する、図１は本例に係るアナログ光伝送システムの一例を示してあり、このアナログ光伝送システムは、上りの光ファイバ３と下りの光ファイバ４を介して接続された親局１と子局２とから構成されている。これら親局１と子局２との間では光ファイバ３、４を介してアナログ光信号が双方向通信される。
【００１３】
親局１には、基地局（図示せず）からのＲＦ信号を入力する親局側ＲＦ信号入力端１０と、基地局から入力されたＲＦ信号を増幅するＲＦ増幅部１１と、光信号を発光する半導体レーザ（ＬＤ）１２と、上り光ファイバ４を接続する光コネクタ１３と、光信号を受光してＲＦ信号に変換するフォトダイオード（ＰＤ）１４と、ＰＤ１４で受光した光信号の出力電圧のレベルを検出する検出部１５と、ＰＤ１４から出力されたでＲＦ信号を増幅する増幅部１６と、増幅されたＲＦ信号を分配する分配部１７と、パイロット信号とキャリア信号を識別するフィルタ部１９と、パイロット信号の出力電圧のレベルを検波する検波回路２０と、検出部１５及び検波回路２０のレベルに基づき異常を検出する制御部２１とが備えられている。
【００１４】
また、子局には、下り光ファイバ３からの光信号を受光してＲＦ信号に変換するフォトダイオード（ＰＤ）２２と、ＲＦ信号を増幅する増幅部２３と、ＲＦ信号を出力するＲＦ信号出力端２４と、キャリア周波数を入力するＲＦ信号入力端２５と、キャリア枢波数と近い周波数のパイロット信号を発信するパイロット信号発生器２６と、ＲＦ信号入力端２５からのキャリア周波数とパイロット信号発生器２６からのパイロット信号とを合成する合成部２７と、合成された信号を増幅するＲＦ増幅部２８と、光信号を発光する半導体レーザ（ＬＤ）２９とが備えられている。ここで、電気信号の回路としては、合成器２７やＲＦ増幅部２８等があり、光信号の回路としては、半導体レーザ（ＬＤ）２９等がある。
【００１５】
次に、本発明のアナログ光伝送システムの動作について説明する。親局１では、子局２から出力された光信号を伝送する上り光ファイバ４と光コネクタ１３とを接続することで光信号をＰＤ１４で受光する。この受光した光信号から検出部１５で出力電圧（出力電圧＝受光レベル×ＰＤ変換効率×ＰＤ付加抵抗から算出される、受光レベルと比例した電圧となる。）を検出し、制御部２１でこの出力電圧に基づいて、受光レベルの正常／異常を判断する。例えば、予め定められた閾値より受光レベルが低いときには、光信号の回路部分（例えば子局のＬＤ）の故障や光ファイバの未接続又は光ファイバの切断等の異常を検出することが可能となる。
【００１６】
また、子局２では、ＲＦ信号入力端２５に入力されたキャリア信号（ＲＦ信号）とこのキャリア信号の周波数に近い周波数のパイロット信号を注入して合成し、ＲＦ増幅部２８にて合成したキャリア信号を増幅し、ＬＤ２９で光信号に変換して上り光ファイバ４で親局に伝送する。
【００１７】
親局１では、上記合成された光信号をＰＤ１４で受光して、ＲＦ増幅部１６で増幅し、フィルタ部１９で合成された信号のうちパイロット信号のみを通し、このパイロット信号と比例する出力電圧を検波回路２０で検出し、制御部２１はこの検波回路２０の出力電圧に基づいてシステム全体の利得が正常か否かを判定する。
【００１８】
このように、光信号の受光レベルを判定することと、パイロット信号のレベルを判定することで、光部分かＲＦ信号部分かを切り分けて判定することが可能となり、更にＲＦ信号と光信号とを含めた上り回線全体を判定することができる。
【図面の簡単な説明】
【００１９】
【図１】本発明一実施例に係るのアナログ光伝送システムの構成例を示す図である。
【図２】アナログ光伝送システムを用いた通信システムの構成例を示す図である。
【符号の説明】
【００２０】
１…親局、２…子局、３…上り光ファイバ、４…下り光ファイバ、１０、２５…ＲＦ信号入力端、１１、１６、２３、２８…ＲＦ増幅部、１２、２９…半導体レーザ（ＬＤ）、１３…光コネクタ、１４、２２…フォトダイオード（ＰＤ）、１５…検出部、１７…分配部、１８、２４…ＲＦ信号出力端、１９…フィルタ部、２０…検波回路、２１…制御部、２６…パイロット信号発生器、２７…合成部
【図１】
2005094630.tif 000003
【図２】
2005094630.tif 000004